(57)【特許請求の範囲】
【請求項１】
穀類備蓄装置における冷気インレット構造であり、サイロを構成するホッパー上部の内周に冷気の通路を設け、該冷気の通路はホッパーとの間がサイロ内部に開口しており、前記冷気の通路の一カ所以上からホッパー下部の中心に向かって放射状にホッパーに沿ってダクトを設け、該ダクトの下端はサイロの内部に開放し、該ダクトにホッパーの外部から冷気を導くノズルを配管してなることを特徴とする穀類備蓄装置における冷気インレット構造。
【発明の詳細な説明】
【０００１】
【発明の属する技術分野】
穀類備蓄装置において、穀物がバラの状態で低温貯蔵が行われる。この際バラの穀物に冷気を供給する冷気インレット構造に関する。
【０００２】
【従来技術と発明が解決しようとする課題】
従来は、袋詰めの穀類を倉庫内に保管し、倉庫内の空気を低温にして、穀類を間接冷却していた。しかし、このような間接冷却法は均一冷却ができず、効率的でなかった。
【０００３】
近年新食料法の施行、輸入米の自由化及び米穀類の備蓄という流れのなかで、サイロに貯蔵することによる、米穀類のバラ状態での低温貯蔵が行われるようになった。この直接冷却法の利点は次のようである。
【０００４】
▲１▼害虫や微生物からの被害を防ぐ。
【０００５】
▲２▼穀物の呼吸による損耗や生命力の低下が少なく、穀物の鮮度を保つ。
【０００６】
▲３▼穀物が米の場合、食味が優れている。
【０００７】
▲４▼穀物が米の場合、玄米の精白効果がよい。
【０００８】
▲５▼燻蒸を要せず穀物の品質が傷まない。
【０００９】
▲６▼穀物の水分と重量の変化が調整できる。
等であり、常温貯蔵での問題点を解消し、長期保管が可能なことである。現在では３年間の低温貯蔵米の実績は文献等にも記載されており、食味、品質とも殆ど影響がないとの報告もある。
【００１０】
このように米のバラ化による低温貯蔵の新技術は、輸入玄米のバラ流通や国内産玄米（バラ）の回転サイロとしての活用ができるとともに、米の流通合理化、保管コストの大幅低減並びに古米、古々米の品質確保に伴う価格維持安定化をも目指すものとして、注目すべき技術といえる。
【００１１】
このような背景の中で、サイロに貯蔵された穀物の堆積のなかに如何に有効に冷風を導入するかが問題となる。
【００１２】
そこで従来はサイロを構成する底部ホッパーの上部に十字形に、断面が裾をもった山形の梁を架設し、該梁の交差部の空間に、空気冷却装置からの冷気をノズルで導入する。導入された冷気は梁の山形に衝突して、梁に沿い十字に分散して周囲に堆積したバラの穀物の間隙に進入していく。サイロを上昇通過した冷気は上昇過程で、バラの穀物と熱交換しながらサイロ頂部から大気に放出される。
【００１３】
図５は従来のインレットの構造を示す上面図である。図６は図５の立断面図を示す。２１はサイロ外壁であり２２はホッパー部である。２３は断面が裾をもった山形の梁であり、２４は冷気を導入するノズルである。図７は断面が裾をもった山形の梁２３の断面図である。
【００１４】
このような従来のインレット構造には、次のような問題点があった。
【００１５】
▲１▼サイロの高さは普通十数メートルあり曲げ剛性に対して断面二次モーメントが大きい形状をしているとはいえ、断面が裾をもった山形の梁２３に作用するバラ穀物による荷重は大きく、場合によっては破損の虞がある。
【００１６】
▲２▼十字形に架設した断面が裾をもった山形の梁２３に沿って、冷気が流れなければならないところ、堆積した穀物が障害となりサイロの横断面に均一に冷気がいきわたらない。
【００１７】
この発明はこのような問題点を解決するように創案されたものであり、ホッパーの内周に設けた冷気吹き出し口から一様に冷気を吹き出すと同時に、ホッパーの斜面の数カ所からも冷気を吹き出し、サイロの横断面に対して均一に冷却が行われるようにしたインレット構造であり、穀物の自重による破損の虞のある架構を用いない。
【００１８】
【課題を解決するための手段】
穀類備蓄装置における冷気インレット構造であり、サイロを構成するホッパー上部の内周に冷気の通路を設け、該冷気の通路はホッパーとの間がサイロ内部に開口しており、前記冷気の通路の一カ所以上からホッパー下部の中心に向かって放射状にホッパーに沿ってダクトを設け、該ダクトの下端はサイロの内部に開放し、該ダクトにホッパーの外部から冷気を導くノズルを配管してなることを特徴とする穀類備蓄装置における冷気インレット構造を主旨とする。
【００１９】
この発明は、ホッパーの内周に設けた冷気吹き出し口から一様に冷気を吹き出すと同時に、ホッパーの斜面の数カ所からも冷気を吹き出し、サイロの横断面に対して均一に冷却が行われるようにし、しかも穀物の自重による破損の虞のある架構を用いていない画期的なインレット構造である。
【００２０】
【発明の実施の形態】
以下図面に従って実施の形態を説明する。
【００２１】
図１は、この発明の穀類備蓄装置における冷気インレット構造の横断面図であり図２のＣ断面図である。
【００２２】
図２は図１のＡ−Ｂ断面図である。
【００２３】
サイロ１１の内周に沿って、ホッパー１２の上部に断面菱形の冷気の通路１３を設ける。この冷気の通路１３はホッパー１２との間に開口１４を設ける。また冷気の通路１３には、この実施例では４ヵ所にホッパー１２の斜面に沿うホッパー１３の底部中心に向かう放射線状のダクト１５を設け、その下端は開放とする。
【００２４】
放射線状のダクト１５には、それぞれ外部からノズル１６で冷気を導入する。１７は冷気の集合管であり、１８は空気冷却装置に繋がるメインパイプである。
【００２５】
図３は放射線状のダクト１５と冷気導入ノズル１６の部分の詳細図である。
【００２６】
図４はホッパー１２の上部に設けた冷気の通路１３の断面図である。冷気の通路１３は必ずしも菱形である必要はなくバラの穀物によって開口を塞がないような構造がのぞましい。
【００２７】
冷気は通路１３の開口部１４と、放射線状のダクト１５の下端の開口からサイロの内部に矢印のように吹き出し、穀物を冷却しながら上昇し、サイロ頂部から大気に放出する。
【００２８】
サイロの周囲と中程でも冷気を放散するので、冷却は均一に行われ、かつ冷気のインレット構造には、穀物の自重による荷重を受ける部分がないので、破損等の虞がない。
【００２９】
【発明の効果】
この発明の効果は、次の通りである。
【００３０】
この発明は、ホッパーの内周に設けた冷気吹き出し口から一様に冷気を吹き出すと同時に、ホッパーの斜面の数カ所からも冷気を吹き出し、サイロの横断面に対して均一に冷却が行われるようにし、しかも穀物の自重による破損の虞のある架構を用いていない画期的なインレット構造である。
【図面の簡単な説明】
【図１】この発明の穀類備蓄装置における冷気インレット構造の横断面図であり、図２のＣ断面図である。
【図２】図１のＡ−Ｂ断面図である。
【図３】放射線状のダクト１５と冷気導入ノズル１６の部分の詳細図である。
【図４】ホッパー１２の上部に設けた冷気の通路１３の断面図である。
【図５】従来のインレットの構造を示す上面図である。
【図６】図５の立断面図を示す。
【図７】断面が裾をもった山形の梁２３の断面図である。
【符号の説明】
１１……サイロ
１２……ホッパー
１３……冷気の通路
１４……開口
１５……ダクト
１６……ノズル
１７……集合管
１８……空気冷却装置につながるメンンパイプ
２１……サイロ
２２……ホッパー
２３……断面が裾をもった山形の梁
２４……ノズル
【図１】
0003589540.tif 000002
【図２】
0003589540.tif 000003
【図３】
0003589540.tif 000004
【図４】
0003589540.tif 000005
【図５】
0003589540.tif 000006
【図６】
0003589540.tif 000007
【図７】
0003589540.tif 000008